(57)【要約】【課題】錠装置が施解錠いずれかの状態にある場合に限って操作部の取り外しを可能とし、反対状態のときには操作部の取り外しを不能とすることにより不慮の事態を防止することのできるサムターン装置の提供を目的とする。【解決手段】ドア体１に固定された錠装置２を施解錠操作する回転操作軸３に連結され、回転操作軸３を室内側から操作する操作部４をサムターンケース５に着脱自在に保持したサムターン装置であって、  前記操作部４は、錠装置２の施解錠いずれかの状態においてサムターンケース５からの脱離が禁止されるように構成する。【選択図】  図２
2007023597.tif 000002
【特許請求の範囲】
【請求項１】
ドア体に固定された錠装置を施解錠操作する回転操作軸に連結され、回転操作軸を室内側から操作する操作部をサムターンケースに着脱自在に保持したサムターン装置であって、
前記操作部は、錠装置の施解錠いずれかの状態においてサムターンケースからの脱離が禁止されるサムターン装置。
【請求項２】
前記操作部は、該操作部に対して空転自在なカバーにより覆われ、
かつ、カバーには操作部の一部を露出させて操作部への回転操作力の付与を許容する操作用開口が開設される請求項１記載のサムターン装置。
【請求項３】
前記カバーは、サムターンケースに脱離不能に連結される請求項２記載のサムターン装置。
【請求項４】
前記操作部は、サムターンケースに形成されたストッパ突起を円周方向に長いストッパ溝に受容してサムターンケースからの抜去が規制されるとともに、
ストッパ溝には、操作部の脱離可能回転位置においてストッパ突起に正対し、一端が錠装置側終端に開放された逃げ溝が延設される請求項１、２または３記載のサムターン装置。
【請求項５】
回転操作軸に直交する可動面内で移動自在で、内周壁にストッパ突起を突設してカバーに外嵌されるストッパプレートと、
操作部の外周に形成されて前記ストッパ突起が係脱する円周方向に長いストッパ溝とを有し、
前記ストッパプレートは、操作部の脱離不可能回転位置においてストッパ突起がストッパ溝に係止する予め決定された特定方向に付勢されるとともに、
ストッパプレートとカバーとの当接部には、操作部の脱離可能回転位置においてストッパプレートへの付勢力から分力を発生させ、該ストッパプレートをストッパ溝からの係止解除方向に移動させるカム面が形成される請求項３記載のサムターン装置。
【請求項６】
前記ストッパプレートの可動面を鉛直面とした際のストッパプレートの自重を付勢力とする請求項５記載のサムターン装置。
【請求項７】
前記ストッパ突起は、操作部の押し込み操作に対してサムターンケース内に一旦没入した後、ストッパ溝対応位置において原位置に復帰する爪状部材により形成され、操作部の脱離禁止状態においても操作部の装着が許容される請求項１から６のいずれかに記載のサムターン装置。
【発明の詳細な説明】
【技術分野】
【０００１】
本発明はサムターン装置に関するものである。
【背景技術】
【０００２】
室外からの回転つまみ（操作部）に対する不正操作を防止するために、操作部を取り外すことのできるサムターン装置としては、特許文献１に記載のものが知られている。この従来例において、操作部は錠装置に連結される回転体に爪を介して連結されており、爪の係止を解除することによりサムターンケースから取り外すことができる。
【特許文献１】実公昭５７-２７８８０号公報
【発明の開示】
【発明が解決しようとする課題】
【０００３】
しかし、上述した従来例は錠装置が施解錠いずれの状態であっても操作部を取り外すことが可能であるために、以下の問題がある。すなわち、例えば、在室時に操作部を取り外した状態で火災等の非常事態が発生した場合には、取り外した操作部を再び装着してからでないとドア体を開放できないために、逃げ遅れる心配がある。
【０００４】
本発明は、以上の欠点を解消すべくなされたものであって、錠装置が施解錠いずれかの状態にある場合に限って操作部の取り外しを可能とし、反対状態のときには操作部の取り外しを不能とすることにより不慮の事態を防止することのできるサムターン装置の提供を目的とする。
【課題を解決するための手段】
【０００５】
本発明によれば上記目的は、
ドア体１に固定された錠装置２を施解錠操作する回転操作軸３に連結され、回転操作軸３を室内側から操作する操作部４をサムターンケース５に着脱自在に保持したサムターン装置であって、
前記操作部４は、錠装置２の施解錠いずれかの状態においてサムターンケース５からの脱離が禁止されるサムターン装置を提供することにより達成される。
【０００６】
本発明において、錠装置２を室内側から施解錠操作するための操作部４は錠装置２が施解錠いずれか一方の状態のときにのみサムターンケース５から取り外すことが可能で、反対状態での脱離が禁止される。この結果、例えば、解錠状態のときにのみ操作部４が取り外し可能なサムターン装置では、解錠状態で操作部４を取り外した後、室外に退出し、次いで室外から施錠すると、以後、室外からのサムターン装置に対するアクセスが不能となり、室内への不正侵入を確実に防止できる。
【０００７】
また、在室時に室内側から操作部４を使用して錠装置２を施錠状態にした場合には、以後、操作部４をサムターンケース５から取り外すことができなくなる。この結果、施錠状態で火災等の緊急事態が発生した場合であっても、操作部４を操作して速やかに室外に退避することができる。
【０００８】
これに対し、施錠状態のときにのみ操作部４の抜去が可能なサムターン装置にあっては、例えば間仕切りされた部屋を暫定的に開放禁止とするために、操作部４を使用して錠装置２を施錠状態とした後、操作部４を取り外すような使用ができる。
【０００９】
操作部４の脱離操作は、単に操作部４を抜去方向に引っ張り出すものに加え、抜去操作に先立って、操作部４への回転操作、あるいは適宜に設定されたストッパの解除操作等を要するものであってもよい。
【００１０】
操作部４は室内側から回転操作軸３に回転トルクを与えることができるならば、例えば並進操作されるスライダ等であってもよいが、回転ノブのように回転体として構成すると、操作部４のサムターンケース５への挿入操作と同時に回転操作軸３と操作部４とを回転方向に連結させることができるために、構造が簡単になる。
【００１１】
また、サムターン装置は、
前記操作部４は、該操作部４に対して空転自在なカバー６により覆われ、
かつ、カバー６には操作部４の一部を露出させて操作部４への回転操作力の付与を許容する操作用開口７が開設されるように構成することができる。
【００１２】
このように構成すると、操作部４を取り付けた状態で室外から操作部４を不正操作しようとしても、操作部４がカバー６により覆われているために、カバー６のみが空転するだけで操作部４に回転操作力を与えることができない。この結果、操作部４の装着状態における防犯性を高めることができる。
【発明の効果】
【００１３】
本発明によれば、錠装置が施解錠いずれかの状態にある場合に限って操作部の取り外しを可能とし、反対状態のときには操作部の取り外しを不能としたので、必要時に操作部が取り外されていてドア体を開けることができないというような不慮の事態を防止することができる。
【発明を実施するための最良の形態】
【００１４】
図１に示すように、サムターン装置は、ドア体１の室内側壁面に固定されるサムターンケース５と、サムターンケース５に対して着脱可能な操作部４とを有する。
【００１５】
３はドア体１内に固定される箱錠（錠装置２）に連結される回転操作軸で、止め輪１３を利用してサムターンケース５内に回転自在に支持される。回転操作軸３の箱錠２側（以後、「後方」）端部は、サムターンケース５をドア体１に取り付けた状態で箱錠２に連結され、この回転操作軸３を回転させることにより箱錠２のデッドボルト２ａを進退させて施解錠操作することができる。
【００１６】
操作部４は、円柱状の軸部４ａと、軸部４ａの前端に形成される摘み部４ｂとを備える。図１（ｂ）に示すように、摘み部４ｂは、軸部４ａへの回転操作力を伝達しやすく、かつ、室内から施解錠状態を容易に知ることができるように、扁平形状に形成される。
【００１７】
以上の操作部４は、軸部４ａをサムターンケース５の前端面に開設された装着孔５ａから差し込むことによりサムターンケース５に着脱可能に装着される。図２、３に示すように、装着時における操作部４のがたつきと、後述する操作部４の脱離可能回転位置における不用意な操作部４の脱離を防止するために、サムターンケース５にはストッパボール１４が装着される。ストッパボール１４は圧縮スプリング１４ａにより中心方向に付勢され、操作部４が挿入されると、軸部４ａ外周に凹設される溝４ｃに嵌合して上述した機能を発揮する。
【００１８】
上記軸部４ａの後端には連結突部１５が形成される。連結突部１５は、軸部４ａのサムターンケース５内への挿入操作に伴って上記回転操作軸３に形成された連結孔１６に嵌合し、回転操作軸３と回転方向に一体化される。連結孔１６と連結突部１５とは、双方が所定の相対角度関係にあるときにのみ嵌合可能なように形成される。箱錠２の施解錠間のストロークが９０°に設定されるこの実施の形態において、連結孔１６と連結突部１５は、図１（ｂ）において実線で示すように、回転操作軸３が箱錠２の解錠状態に対応し、摘み部が縦一文字となる場合にのみ連結可能とされる。
【００１９】
上記サムターンケース５の装着孔５ａには内方に突出するストッパ突起８が設けられ、操作部４の軸部４ａには、軸部４ａ後端に開放された軸長方向に長い逃げ溝１０が凹設される。逃げ溝１０は上記ストッパ突起８が通過できる溝幅寸法を有している。また、この逃げ溝１０は軸部４ａと摘み部４ｂとの境界まで延長され、前方終端にストッパ溝９が延設される。
【００２０】
逃げ溝１０の前方終端は、図２に示すように、サムターンケース５に操作部４を装着した状態におけるストッパ突起８の位置に合致し、ストッパ溝９は該終端から軸部４ａの円周方向に延びる。また、逃げ溝１０は、摘み部４ｂが縦一文字となる回転姿勢でサムターンケース５側のストッパ突起８に対応する。
【００２１】
したがってこの実施の形態において、箱錠２を解錠状態にした状態で摘み部４ｂが縦一文字となる回転姿勢、すなわち、ストッパ突起８に干渉することなく軸部４ａをサムケース内に挿入することのできる姿勢で操作部４の軸部４ａを装着孔５ａから挿入すると、軸部４ａの連結突部１５は連結孔１６に嵌合する。この状態で操作部４を回転操作すると回転操作軸３が回転し、箱錠２を施解錠操作することができる。
【００２２】
以上のように、箱錠２が解錠状態にある場合には、サムターンケース５のストッパ突起８は逃げ溝１０に正対しており、図２（ｂ）に示すように、この状態で操作部４を引っ張ってサムターンケース５から取り外すことができる。図１（ａ）に示すように、抜去可能位置における操作部４の不用意な脱落は、上述したストッパボール１４により防止される。
【００２３】
このような操作部４を取り外した状態では、回転操作軸３を回転させることはできないために、室外からサムターン装置が不正操作されることを確実に防止できる。操作部４を取り外した状態での回転操作軸３への操作を防止するために、回転操作軸３の前端は、サムターンケース５内の深い位置に配置される。
【００２４】
これに対し、図３に示すように、操作部４を操作して箱錠２を施錠状態にした場合には、ストッパ突起８はストッパ溝９内を相対移動し、ストッパ突起８と逃げ溝１０とは正対しないために、操作部４を引っ張ってサムターンケース５から取り外すことができない。また、一旦取り外した操作部４は、箱錠２が施錠状態の場合には、連結孔１６と連結突部１５とを嵌合させることができないために、装着することができない。
【００２５】
図４に本発明の第２の実施の形態を示す。なお、以下の実施の形態の説明において、上述した実施の形態と実質的に同一の構成要素は、図中に同一符号を付して説明を省略する。
【００２６】
この実施の形態において、操作部４は、軸部４ａを前方に延長したカバー受容軸部４ｄを有し、カバー受容軸部４ｄにカバー６が空転自在に外嵌される。
【００２７】
カバー６は上述した実施の形態と同様に正面視扁平形状に形成され、対向する長辺部を切り欠いて操作用開口７が開設される。操作用開口７は、上記カバー受容軸部４ｄが嵌入する軸受容孔６ａに連通し、カバー受容軸部４ｄにカバー６を装着した状態でカバー受容軸部４ｄの一部を露出させる。
【００２８】
また、カバー受容軸部４ｄとカバー６には磁石１７が固定される。カバー受容軸部４ｄ側の磁石１７はカバー受容軸部４ｄを軸直交方向に貫通して両磁極がカバー受容軸部４ｄ表面近傍に位置するように配置され、カバー６には、カバー６の回転中心に対して対称位置に一対が反対磁極が対向するように埋め込まれる。
【００２９】
これらカバー受容軸部４ｄとカバー６の磁石１７は、カバー受容軸部４ｄが解錠状態で、カバー６が縦一文字状となったときに反対磁極が正対するように配置される。
【００３０】
したがってこの実施の形態において、サムターンケース５に対する操作部４の着脱は、図４（ａ）に示すように、解錠状態の場合には図５に示すように、操作部４を引き抜いてサムターンケース５から取り外すことができ、図４（ｂ）に示すよう施錠状態では、ストッパ突起８の軸長方向への移動がストッパ溝９により規制されるために、操作部４の取り外しができない。また、操作部４の装着状態で、操作用開口７から露出しているカバー受容軸部４ｄを指で摘むことにより軸部４ａを回転させて箱錠２の施解錠操作も行うことができる。
【００３１】
これに対し、室外側からカバー６を回転操作しようとした場合には、カバー６はカバー受容軸部４ｄに対して空転するために、箱錠２を不正解錠することはできない。また、室内から箱錠２を施解錠操作し、軸部４ａを回転させた場合にも、カバー６は磁力により初期に設定された位置に追随し、施錠状態においては横一文字、解錠状態においては縦一文字状となるために、在室者は箱錠２の施解錠状態を容易に把握することができる。
【００３２】
図６に本発明の第３の実施の形態を示す。この実施の形態において、サムターンケース５側のストッパ突起８はストッパ溝９に係脱動作する爪状部材として形成される。爪状部材８は操作部４の軸部４ａの回転中心に向けて移動自在であり、圧縮スプリング８ａにより中心軸方向に付勢される。この爪状部材８は、後方に行くに従って上記中心軸方向に漸次接近する傾斜面８ｂが前面に、鉛直面８ｃが背面に形成されて三角形状断面を有する。
【００３３】
なお、この実施の形態において、操作部４の軸部４ａと回転操作軸３とは、回転操作軸３側に形成された連結突部１５を軸部４ａ側に形成された連結孔１６に嵌合させて回転方向に連結される。
【００３４】
したがってこの実施の形態において、逃げ溝１０と爪状部材８とが正対しない相対回転位置、すなわち、箱錠２が施錠状態にあるときに操作部４をサムターンケース５内に押し込むと、圧縮スプリング８ａの反力に抗して爪状部材８は一旦サムターンケース５内に没入して軸部４ａの通過を許容する。この状態からさらに軸部４ａを押し込むと、操作部４が連結突部１５に嵌合可能な姿勢、すなわち、カバー６が横一文字姿勢である場合には、連結突部１５と連結孔１６とが嵌合し、嵌合完了時に爪状部材８がストッパ溝９に対向し、爪状部材８は圧縮スプリング８ａの復元力により再びサムターンケース５から飛び出してストッパ溝９内に弾発係止する。
【００３５】
この状態で操作部４に引き抜き方向の力を負荷すると、爪状部材８の背面の鉛直面８ｃがストッパ溝９の壁面に当接し、没入方向の分力が発生しないために、逃げ溝１０に爪状部材８が正対する位置、すなわち、解錠状態においてのみ操作部４を取り外すことができる。
【００３６】
図７に本発明の第４の実施の形態を示す。この実施の形態において、上記カバー６はサムターンケース５内に侵入する筒部６ｂを備え、該筒部６ｂにおいてサムターンケース５に脱離不能、かつ回転自在に保持される。
【００３７】
一方、操作部４は、サムターンケース５内に収容される軸部４ａと、軸部４ａから前方に延長され、軸部４ａより大径なカバー受容軸部４ｄとを有し、軸部４ａをカバー６の筒部６ｂ内に挿通させた状態で装着される。カバー６と操作部４には磁石１７が固定され、上述した第２の実施の形態と同様に、カバー６を操作部４の回転角度に追随させる。
【００３８】
図７に示すように、上記筒部６ｂにはストッパプレート１１が外嵌されるとともに、軸部４ａのストッパプレート１１対応位置にはリング状のストッパ溝９が形成される。ストッパプレート１１は軸長方向に直交する可動面内で並進移動自在であり、ストッパプレート１１の内周壁面には、筒部６ｂに開設されたストッパ通過孔６ｃを経てストッパ溝９に係止可能なストッパ突起８が突設される。
【００３９】
この実施の形態は、サムターン装置は軸部４ａを水平にして使用されることを想定しており、図７に示すように、軸部４ａが施錠回転位置にあり、筒部６ｂがこれに追随した回転位置にあるときに、ストッパ通過孔６ｃが上下方向を向くように各々が配置される。
【００４０】
また、筒部６ｂの外周壁とストッパプレート１１の内周壁にはカム面１２が形成される。カム面１２は、図８に示すように、カバー６が解錠回転位置まで回転すると、ストッパプレート１１の自重により相互に当接し、ストッパプレート１１に図７において側方への操作力を発生させる。
【００４１】
図８（ｃ）に示すように、カム面１２により発生した側方への操作力によりストッパプレート１１が側方に移動すると、ストッパ突起８はストッパ溝９から脱離し、この状態で図９に示すように、操作部４のみを引き抜くことができる。
【００４２】
なお、以上においてストッパプレート１１は自重により操作力を得て係止突起のストッパ溝９との係脱動作を行う場合を示したが、この他に、上記自重方向に一定した付勢力をスプリング等により与えておくこともできる。
【図面の簡単な説明】
【００４３】
【図１】本発明を示す図で、（ａ）は断面図、（ｂ）は正面図である。
【図２】ストッパ突起を示す図で、（ａ）は図１（ａ）の２Ａ-２Ａ線断面図、（ｂ）は操作部を引き抜いた状態を示す図１（ａ）に対応する図である。
【図３】施錠状態を示す図で、（ａ）は図１（ａ）に対応する断面図、（ｂ）は図２（ａ）に対応する断面図である。
【図４】本発明の第２の実施の形態を示す図で、（ａ）は解錠状態における断面図、（ｂ）は施錠状態における断面図である。
【図５】操作部を取り除いた状態を示す断面図である。
【図６】本発明の第３の実施の形態を示す図で、（ａ）は断面図、（ｂ）は（ａ）の６Ｂ-６Ｂ線断面図である。
【図７】本発明の第４の実施の形態を示す図で、（ａ）は施錠状態の断面図、（ｂ）は（ａ）の７Ｂ-７Ｂ線断面図である。
【図８】解錠状態を示す図で、（ａ）は図７（ａ）に対応する断面図、（ｂ）は解錠状態への移行途中の図７（ａ）の７Ｂ-７Ｂ線断面図、（ｃ）は解錠状態における図７（ａ）の７Ｂ-７Ｂ線断面図である。
【図９】操作部を取り外した状態を示す断面図である。
【符号の説明】
【００４４】
１        ドア体
２        錠装置
３        回転操作軸
４        操作部
５        サムターンケース
６        カバー
７        操作用開口
８        ストッパ突起
９        ストッパ溝
１０      逃げ溝
１１      ストッパプレート
１２      カム面
【図１】
2007023597.tif 000003
【図２】
2007023597.tif 000004
【図３】
2007023597.tif 000005
【図４】
2007023597.tif 000006
【図５】
2007023597.tif 000007
【図６】
2007023597.tif 000008
【図７】
2007023597.tif 000009
【図８】
2007023597.tif 000010
【図９】
2007023597.tif 000011